【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
生理活性標的物質を含有する供給流を不溶性希土類固定剤と接触させて、前記生理活性標的物質および希土類の少なくとも一部を含有する不溶性標的物質含有固定剤を形成させることを含む方法であって、前記生理活性標的物質が、抗マラリア薬、抗ドーパミン薬、プロトンポンプ阻害薬（ＰＰＩ）、プロスタグランジン類似体、オピオイド、β−受容体遮断薬、カルシウムチャネル遮断薬、強心性配糖体、抗高血圧薬、ＡＣＥ阻害薬、アンギオテンシン受容体遮断薬、ヘパリン、スタチン、三環系抗うつ薬、モノアミンオキシダーゼ阻害薬、選択的セロトニン再取り込み阻害剤（ＳＳＲＩ）、抗てんかん薬、バルビツレート、アンフェタミン、ベンゾジアゼピン、シクロピロロン、ドーパミン拮抗薬、抗ヒスタミン剤、カンナビノイド、５−ＨＴ（セロトニン）拮抗薬、パラセタモール、交感神経興奮薬、アルファ−１遮断薬、副交感神経遮断薬、アミノグリコシド、フルオロキノロン、イミダゾール、ポリエン、コルチコステロイド、ベータ−遮断薬、プロスタグランジンアゴニスト／プロスタグランジン阻害剤、ニトログリセリン、ステロイド、ベータ２−アドレナリンアゴニスト、アンドロゲン、ゴナドトロピン、ヒト成長ホルモン、インスリン、スルホニル尿素、ビグアニド、メトホルミン、チアゾリジンジオン、甲状腺ホルモン、カルシトニン、バソプレシン類似体、シルデナフィル、オルメロキシフェン、ベータ−受容体作動薬、卵胞刺激ホルモン、黄体形成ホルモン、ガモレン酸、プロゲストゲン、エストロゲン、プロスタグランジン、クロミフェン、タモキシフェン、ジエチルスチルベストロール、ビタミンＡ誘導体、ビタミンＤ類似体、ホルモン、抗結核薬、抗マラリア剤、駆虫薬、抗アメーバ薬、抗原虫薬、免疫グロブリン、ビタミン、抗肥満薬、カフェイン、イブプロフェン、ジメトプリム、トリメトプリム、スルホンアミド、スルファメトキサゾール、コチニン、ニコチン、リンコマイシニ、スルファジメトキシン、スルファメタジン、スルファチアゾール、チロシン、コレステロール、コプロスタン−３−オール、ジヒドロコレステロール、エルゴステロール、スチグマスタノール、スチグマステロール、ベザフィブラート、クロフィブリン酸、カルバマゼピン、ジクロフェナク、ナプロキセン、プロプラノロール、ケトプロフェン、メフェナム酸、アンドロステンジオン、エストロン、エストラジオール、ペントキシフィリン、エチニルエストラジオール、内在性エストロゲン１７β−エストラジオール（Ｅ２）および１７α−エチニルストラジオール（ＥＥ２）、メプロバメート、メストラノール、ノルエチンドロン、エリスロマイシン、アテノロール、ビスフェノールＡ、イオプロミド、ＴＣＥＰ、ロキシスロマイシン、エリスロマイシン−Ｈ２Ｏ、ゲムフィブロジル、フルオキセチン、ジアゼパム、アトルバスタチン、ノルフルオキセチン、ｏ−ヒドロキシアトルバスタチン、ｐ−ヒドロキシアトルバスタチン、テストステロン、リスペリドン、エナラプリル、シンバスタチン、シンバスタチンヒドロキシル酸、クロフィブレート、フタル酸エステル、プリミドン、ノルフロキサシン、オフロキサシン、シプロフロキサシン、テトラサイクリン、ドキシサイクリン、エストリオール、Ｄ−ノルゲストレル、クロピドグレル、エノキサパリン、セレコキシブ、ロフェコキシブ、バルデコキシブ、オメプラゾール、エソメプラゾール、フェキソフェナジン、クエチアピン、メトプロロール、ブデソニド、プロピルフェナゾン、イブプロフェンメチルエステル、マクロライド系抗生物質、合成ステロイドホルモン、ロラタジン、及びセチリジンのうちの１つ以上を含むものである、前記方法。
【請求項２】
前記不溶性希土類が、イットリウム、スカンジウム、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム及びルテチウムの少なくとも１つを含む、請求項１記載の方法。
【請求項３】
前記不溶性希土類が、酸化セリウム（ＩＩＩ）、酸化セリウム（ＩＶ）、及びこれらの混合物を含む、請求項１記載の方法。
【請求項４】
抗マラリア薬、抗ドーパミン薬、プロトンポンプ阻害薬（ＰＰＩ）、プロスタグランジン類似体、オピオイド、β−受容体遮断薬、カルシウムチャネル遮断薬、強心性配糖体、抗高血圧薬、ＡＣＥ阻害薬、アンギオテンシン受容体遮断薬、ヘパリン、スタチン、三環系抗うつ薬、モノアミンオキシダーゼ阻害薬、選択的セロトニン再取り込み阻害剤（ＳＳＲＩ）、抗てんかん薬、バルビツレート、アンフェタミン、ベンゾジアゼピン、シクロピロロン、ドーパミン拮抗薬、抗ヒスタミン剤、カンナビノイド、５−ＨＴ（セロトニン）拮抗薬、パラセタモール、交感神経興奮薬、アルファ−１遮断薬、副交感神経遮断薬、アミノグリコシド、フルオロキノロン、イミダゾール、ポリエン、コルチコステロイド、ベータ−遮断薬、プロスタグランジンアゴニスト／プロスタグランジン阻害剤、ニトログリセリン、ステロイド、ベータ２−アドレナリンアゴニスト、アンドロゲン、ゴナドトロピン、ヒト成長ホルモン、インスリン、スルホニル尿素、ビグアニド、メトホルミン、チアゾリジンジオン、甲状腺ホルモン、カルシトニン、バソプレシン類似体、シルデナフィル、オルメロキシフェン、ベータ−受容体作動薬、卵胞刺激ホルモン、黄体形成ホルモン、ガモレン酸、プロゲストゲン、エストロゲン、プロスタグランジン、クロミフェン、タモキシフェン、ジエチルスチルベストロール、ビタミンＡ誘導体、ビタミンＤ類似体、ホルモン、抗結核薬、抗マラリア剤、駆虫薬、抗アメーバ薬、抗原虫薬、免疫グロブリン、ビタミン、抗肥満薬、カフェイン、イブプロフェン、ジメトプリム、トリメトプリム、スルホンアミド、スルファメトキサゾール、コチニン、ニコチン、リンコマイシニ、スルファジメトキシン、スルファメタジン、スルファチアゾール、チロシン、コレステロール、コプロスタン−３−オール、ジヒドロコレステロール、エルゴステロール、スチグマスタノール、スチグマステロール、ベザフィブラート、クロフィブリン酸、カルバマゼピン、ジクロフェナク、ナプロキセン、プロプラノロール、ケトプロフェン、メフェナム酸、アンドロステンジオン、エストロン、エストラジオール、ペントキシフィリン、エチニルエストラジオール、内在性エストロゲン１７β−エストラジオール（Ｅ２）および１７α−エチニルストラジオール（ＥＥ２）、メプロバメート、メストラノール、ノルエチンドロン、エリスロマイシン、アテノロール、ビスフェノールＡ、イオプロミド、ＴＣＥＰ、ロキシスロマイシン、エリスロマイシン−Ｈ２Ｏ、ゲムフィブロジル、フルオキセチン、ジアゼパム、アトルバスタチン、ノルフルオキセチン、ｏ−ヒドロキシアトルバスタチン、ｐ−ヒドロキシアトルバスタチン、テストステロン、リスペリドン、エナラプリル、シンバスタチン、シンバスタチンヒドロキシル酸、クロフィブレート、フタル酸エステル、プリミドン、ノルフロキサシン、オフロキサシン、シプロフロキサシン、テトラサイクリン、ドキシサイクリン、エストリオール、Ｄ−ノルゲストレル、クロピドグレル、エノキサパリン、セレコキシブ、ロフェコキシブ、バルデコキシブ、オメプラゾール、エソメプラゾール、フェキソフェナジン、クエチアピン、メトプロロール、ブデソニド、プロピルフェナゾン、イブプロフェンメチルエステル、マクロライド系抗生物質、合成ステロイドホルモン、ロラタジン、及びセチリジンのうちの１つ以上である生理活性標的物質の少なくとも一部と、
希土類と、
を、含有する物質。
【請求項５】
前記希土類が、イットリウム、スカンジウム、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム及びルテチウムの少なくとも１つからなる群から選択される、請求項４記載の物質。
【請求項６】
前記希土類が、酸化セリウム（ＩＶ）である、請求項４記載の物質。
【請求項７】
生理活性化合物含有流を可溶性希土類固定剤と接触させて、前記生理活性化合物および希土類の少なくとも一部を含有する不溶性標的物質含有固定剤を形成することを含む方法であって、前記生理活性化合物が、抗マラリア薬、抗ドーパミン薬、プロトンポンプ阻害薬（ＰＰＩ）、プロスタグランジン類似体、オピオイド、β−受容体遮断薬、カルシウムチャネル遮断薬、強心性配糖体、抗高血圧薬、ＡＣＥ阻害薬、アンギオテンシン受容体遮断薬、ヘパリン、スタチン、三環系抗うつ薬、モノアミンオキシダーゼ阻害薬、選択的セロトニン再取り込み阻害剤（ＳＳＲＩ）、抗てんかん薬、バルビツレート、アンフェタミン、ベンゾジアゼピン、シクロピロロン、ドーパミン拮抗薬、抗ヒスタミン剤、カンナビノイド、５−ＨＴ（セロトニン）拮抗薬、パラセタモール、交感神経興奮薬、アルファ−１遮断薬、副交感神経遮断薬、アミノグリコシド、フルオロキノロン、イミダゾール、ポリエン、コルチコステロイド、ベータ−遮断薬、プロスタグランジンアゴニスト／プロスタグランジン阻害剤、ニトログリセリン、ステロイド、ベータ２−アドレナリンアゴニスト、アンドロゲン、ゴナドトロピン、ヒト成長ホルモン、インスリン、スルホニル尿素、ビグアニド、メトホルミン、チアゾリジンジオン、甲状腺ホルモン、カルシトニン、バソプレシン類似体、シルデナフィル、オルメロキシフェン、ベータ−受容体作動薬、卵胞刺激ホルモン、黄体形成ホルモン、ガモレン酸、プロゲストゲン、エストロゲン、プロスタグランジン、クロミフェン、タモキシフェン、ジエチルスチルベストロール、ビタミンＡ誘導体、ビタミンＤ類似体、ホルモン、抗結核薬、抗マラリア剤、駆虫薬、抗アメーバ薬、抗原虫薬、免疫グロブリン、ビタミン、抗肥満薬、カフェイン、イブプロフェン、ジメトプリム、トリメトプリム、スルホンアミド、スルファメトキサゾール、コチニン、ニコチン、リンコマイシニ、スルファジメトキシン、スルファメタジン、スルファチアゾール、チロシン、コレステロール、コプロスタン−３−オール、ジヒドロコレステロール、エルゴステロール、スチグマスタノール、スチグマステロール、ベザフィブラート、クロフィブリン酸、カルバマゼピン、ジクロフェナク、ナプロキセン、プロプラノロール、ケトプロフェン、メフェナム酸、アンドロステンジオン、エストロン、エストラジオール、ペントキシフィリン、エチニルエストラジオール、内在性エストロゲン１７β−エストラジオール（Ｅ２）および１７α−エチニルストラジオール（ＥＥ２）、メプロバメート、メストラノール、ノルエチンドロン、エリスロマイシン、アテノロール、ビスフェノールＡ、イオプロミド、ＴＣＥＰ、ロキシスロマイシン、エリスロマイシン−Ｈ２Ｏ、ゲムフィブロジル、フルオキセチン、ジアゼパム、アトルバスタチン、ノルフルオキセチン、ｏ−ヒドロキシアトルバスタチン、ｐ−ヒドロキシアトルバスタチン、テストステロン、リスペリドン、エナラプリル、シンバスタチン、シンバスタチンヒドロキシル酸、クロフィブレート、フタル酸エステル、プリミドン、ノルフロキサシン、オフロキサシン、シプロフロキサシン、テトラサイクリン、ドキシサイクリン、エストリオール、Ｄ−ノルゲストレル、クロピドグレル、エノキサパリン、セレコキシブ、ロフェコキシブ、バルデコキシブ、オメプラゾール、エソメプラゾール、フェキソフェナジン、クエチアピン、メトプロロール、ブデソニド、プロピルフェナゾン、イブプロフェンメチルエステル、マクロライド系抗生物質、合成ステロイドホルモン、ロラタジン、及びセチリジンのうちの１つ以上である、前記方法。
【請求項８】
前記可溶性固定剤が、スカンジウム、イットリウム、及びランタノイドの１つ以上であり、かつ、水中に可溶性の形態である、請求項７記載の方法。
【請求項９】
前記希土類が、イットリウム、スカンジウム、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム及びルテチウムの少なくとも１つからなる群から選択される、請求項７記載の方法。
【請求項１０】
前記希土類固定剤が、＋３の酸化状態を有する希土類である、請求項７〜９のいずれか1項記載の方法。
【請求項１１】
前記不溶性希土類固定剤が、酸化セリウム（ＩＶ）を含む、請求項１〜３のいずれか1項記載の方法。
【請求項１２】
前記不溶性希土類固定剤が、２つ以上の希土類含有化合物を含む、請求項１〜３のいずれか1項記載の方法。
【請求項１３】
前記不溶性希土類固定剤が、同じ又は異なる希土類元素を含み、かつ、混合原子価状態または酸化状態を含むことができる、請求項１〜３のいずれか1項記載の方法。
【請求項１４】
前記不溶性希土類固定剤が、支持されている、請求項１〜３のいずれか1項記載の方法。